【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
液体薬物調合物のいくつかの事前設定可能な用量を分割されていないリザーバから分離および送達する薬物送達デバイスであって：
ハウジング（１０）と、
該ハウジングに対して２つの反対の回転方向、すなわち増分方向および減分方向に回転可能になるように配置された可動部材（６０）であって、エネルギー貯蔵部材（９０）に動作可能に連結され、エネルギー貯蔵部材内に貯蔵済みまたは貯蔵可能なエネルギーによって、減分方向に回転するように付勢され、増分方向への可動部材の回転が、エネルギー貯蔵部材内に貯蔵されるエネルギーを増大させる、可動部材と、
ロックシステムとを含み、該ロックシステムは、
ロック機能（６２、４６、１６０、１６１）、阻止機能（４２、６５、６６、６７７）、および解放部材（７０、８０）を含み、ここで、
ロック機能は、阻止機能と協働して、解放可能ロックインターフェースを形成するように配置され、解放可能ロックインターフェースは、該解放可能ロックインターフェースが確立されたとき、減分方向へ、好ましくは該減分方向のみへのハウジングに対する可動部材の回転運動が阻止されるように構成され、解放可能ロックインターフェースが解放されたとき、可動部材は減分方向に、たとえば少なくとも制限された形で、好ましくは制限された形のみで、または制限されない形で、回転可能であり、
解放部材は、ハウジングおよび／またはロック機能に対して、たとえば少なくとも制限された形で、好ましくは制限された形のみで、または制限されない形で、第１の角度位置と第２の角度位置との間を回転可能であり、
第１の角度位置で、解放可能ロックインターフェースが確立され、
第２の角度位置で、解放可能ロックインターフェースは、少なくとも一時的に、好ましくは一時的にのみ、または恒久的に解放され、薬物送達デバイスは、第１の角度位置から第２の角度位置への解放部材の回転が、解放可能ロックインターフェースの解放を引き起こすように構成され、特に解放部材（７０）が第１の角度位置にあるとき、薬物送達デバイスは、減分構成および駆動構成という２つの異なる軸方向構成間で切換可能であり、減分構成で、解放可能ロックインターフェースが確立され、駆動構成で、解放可能ロックインターフェースは、好ましくは恒久的に解放され、
駆動構成と減分構成との間で切り換えるために、ロック機能（６２、４６、１６０、１
６１）および阻止機能（４２、６５、６６、６７７）は、互いに対して軸方向に変位可能である、前記薬物送達デバイス。
【請求項２】
薬物送達デバイスは、被駆動部材（４０）を含み、被駆動部材は、減分構成でハウジング（１０）に対して回転不能にロックされ、駆動構成でハウジングに対して回転可能であり、駆動構成で、被駆動部材は、可動部材（６０）に回転不能にロックされ、かつ／または
ロック機能（６２、４６、１６０、１６１）は、ロック部材（１６０）の一部であり、ロック部材に堅固に連結され、もしくはロック部材によって形成され、阻止機能は、阻止部材の一部であり、もしくは阻止部材に堅固に連結され、かつ／または阻止部材およびロック部材は、可動部材、被駆動部材、ハウジング、前述の部材とは異なる部材という群から選択された２つの異なる部材によって形成される、かつ／または
可動部材（６０）は、単位増分の倍数のみ、ハウジング（１０）に対して増分方向に回転可能であり、薬物送達デバイスは、少なくとも１つの単方向インターフェースを含み、単方向インターフェースは、単位増分を画成し、解放部材（７０、８０）が第１の角度位置にあるとき、増分方向のみへのハウジングに対する可動部材の回転を可能にし、
ａ）単方向インターフェースは、解放可能ロックインターフェースであり、または
ｂ）単方向インターフェースは、解放可能ロックインターフェースとは異なる、かつ／または
解放可能ロックインターフェースは、両方の回転方向におけるロック機能（１６０、１６１）と阻止機能（６６、６７７）との間の相対回転運動を阻止する、かつ／または
薬物送達デバイスは、支持機能（１５２）を含み、該支持機能は、ロック機能（４６、１６１）に対して第１の位置と第２の位置との間で回転可能であり、したがって支持機能は、第１の位置でロック機能を径方向に支持するが、第２の位置で阻止機能（６５、６６）に対するロック機能の径方向運動を可能にし、薬物送達デバイスは、解放部材が第１の角度位置にあるときは支持機能が第１の位置にあり、解放部材が第２の角度位置にあるときは支持機能が第２の位置にあるように構成され、好ましくは、支持機能が第１の位置にあるとき、支持機能（１５２）は、エネルギー貯蔵部材（９０）から阻止機能を介してロック機能へ伝達されるトルクによって径方向に変位しないようにロック機能（４６、１６１）を安定化し、支持機能が第２の位置にあるとき、ロック機能は、トルクによって阻止機能に対して径方向に変位される、
請求項１に記載の薬物送達デバイス。
【請求項３】
ロック機能（６２）は、径方向に反発的に変位可能であり、阻止部材（４０）は、複数の阻止機能（４２）を有し、阻止機能は、径方向に延びており、角度方向に均一に分散され、阻止機能は、ロック機能（６２）と協働して、増分方向への阻止部材に対する可動部材の回転を可能にするが、減分方向への阻止部材および／またはハウジングに対する可動部材の回転を阻止する解放可能ロックインターフェースとして、単方向の径方向ラチェットインターフェースを形成するように設計され、好ましくは
ｉ）解放部材（７０、８０）は、複数の径方向に延びる部材機能（７１）を含み、該部材機能は、解放部材上に円周方向に配置され、部材機能は、阻止機能（４２）に対して径方向に突出し、薬物送達デバイスは、解放部材が阻止部材（４０）、可動部材（６０）、ハウジング（１０）、および／またはロック機能（６２）に対して第２の角度位置の方へ回転されたとき、ロック機能が、解放可能ロックインターフェースが解放されるまで、部材機能とのその動作連結によって径方向に変位され、それによって減分方向へのハウジングおよび／または阻止部材に対する可動部材の回転を可能にするように構成される、かつ／または
ｉｉ）解放部材（７０、８０）が第１の角度位置にあるとき、ロック機能（６２）は、２つの阻止機能（４２）間に画成された第１のポケット内に配置され、同時に２つの部材機能（７１）間に画成された第２のポケット内にも配置され、解放部材が第２の角度位置
の方へ回転されたとき、ロック機能は、第１のポケットから径方向に変位されるが、第２のポケット内に留まる、かつ／または
ｉｉｉ）解放部材（７０、８０）および阻止部材（４０）は、薬物送達デバイスの駆動構成に切り換えわるように、ロック機能（６２）に対して軸方向に変位可能である、
請求項２に記載の薬物送達デバイス。
【請求項４】
ロック部材（４０）は、該ロック部材上に円周方向に均一に配置された複数のロック機能（４６）を含み、該ロック機能は、軸方向に向けられており、それぞれのロック機能は、径方向に、好ましくは弾性的に、偏向することができるが、回転方向、角度方向、または接線方向の負荷または力に反作用するように可撓性であり、または可撓に取り付けられ、阻止機能（６５）は、ロック機能のうちの１つの角度方向面（４６１）に接触するように配置され、またはそのような角度方向面に接触している、
請求項２または３に記載の薬物送達デバイス。
【請求項５】
薬物送達デバイスは支持部材（１５０）を含み、支持部材は支持機能（１５２）を含み、支持部材は、ロック部材（４０）に対して回転可能であり、角度方向面が阻止機能（６５）によって接触されるロック機能（４６）は、解放可能ロックインターフェースを形成するように、支持機能によって径方向に支持される、
請求項４に記載の薬物送達デバイス。
【請求項６】
支持部材（１５０）は、両方の回転方向における解放部材の回転に追従するように、解放部材（７０、８０）に連結され、連結は、回転クリアランスを有するように構成され、したがって、支持部材が解放部材の回転に追従するまで、解放部材は支持部材に対して回転可能であり、
解放部材が減分方向に第１の角度位置から第２の角度位置の方へ回転されたとき、支持部材は同じ方向に回転し、それによってロック機能（４６）のうちの１つから支持を除去し、したがって減分方向への可動部材の回転が可能にされ、それによって支持されなくなったロック機能を径方向に変位させる、
請求項５に記載の薬物送達デバイス。
【請求項７】
ロック部材（１６０）は、ロック機能（１６１）に加えて、単位増分を画成する単方向インターフェースを確立するための単方向インターフェース機能（１６４）を含む、
請求項２に記載の薬物送達デバイス。
【請求項８】
ロック機能（１６１）は、単方向インターフェース機能に対して径方向に変位可能である、
請求項７に記載の薬物送達デバイス。
【請求項９】
ロック機能（１６１）は、解放部材（７０、８０）と機械的に協働して、解放部材を第２の角度位置で解放可能にロックする、
請求項１〜８のいずれか１項に記載の薬物送達デバイス。
【請求項１０】
ロック機能（１６０）は、解放可能ロックインターフェースを解放するために、阻止部材（６０）に対してロック位置からロック解除位置へ軸方向に変位可能である、
請求項１または２に記載の薬物送達デバイス。
【請求項１１】
阻止部材（６０）は、ロック機能と相互作用するように設けられたガイドトラック（６７）を含み、該ガイドトラックは、少なくとも２つの異なるタイプのセクション、ロックセクション（６７１）およびロック解除セクションを含み、ロックセクションは、１つまたはそれ以上の阻止機能（６７７）によって画成され、ロックセクションは、軸方向に延
び、ロック解除セクションは、螺旋状に延びており、ガイドトラックに沿って見たとき、ロックセクションおよびロック解除セクションは交互に配置され、ガイドトラックは、１つまたはそれ以上のロックセクションおよび１つまたはそれ以上のロック解除セクションを含み、薬物送達デバイスは、解放部材（７０、８０）が第１の角度位置にあるとき、ロック機能（１６０）がロック位置にあり、ガイドトラックのロックセクションと相互作用するように構成され、解放部材が第２の角度位置の方へ回転されたとき、ロック機能は、ロック解除位置の方およびロック解除位置内へ軸方向に変位され、ロック解除位置で、ロック機能はロック解除セクションと協働することができる、
請求項１０に記載の薬物送達デバイス。
【請求項１２】
ロック機能（１６０）は、少なくとも２つのインターフェース、螺旋インターフェースおよび軸方向インターフェースを介して、解放部材（７０、８０）に動作可能に連結され、これらのインターフェースは、同時に確立される、
請求項１０または１１に記載の薬物送達デバイス。
【請求項１３】
分割されていないリザーバから液体薬物調合物のいくつかの事前設定可能な用量を分離および送達する薬物送達デバイスであって：
ハウジング（１０）と、
該ハウジングに対して２つの反対の回転方向、すなわち増分方向および減分方向に回転可能になるように配置された可動部材（６０）であって、エネルギー貯蔵部材（９０）に動作可能に連結され、エネルギー貯蔵部材内に貯蔵済みまたは貯蔵可能なエネルギーによって、減分方向へ回転するように付勢され、増分方向への可動部材の回転が、エネルギー貯蔵部材内に貯蔵されるエネルギーを増大させる、可動部材と、
ロックシステムとを含み、該ロックシステムは、
ロック機能（６２、４６、１６０、１６１）、阻止機能（４２、６５、６６、６７７）、および解放部材（７０、８０）を含み、ここで、
ロック機能は、阻止機能と協働して、解放可能ロックインターフェースを形成するように配置され、解放可能ロックインターフェースは、該解放可能ロックインターフェースが確立されたとき、減分方向へ、好ましくは該減分方向のみへのハウジングに対する可動部材の回転運動が阻止されるように構成され、解放可能ロックインターフェースが解放されたとき、可動部材は、減分方向に、たとえば少なくとも制限された形で、好ましくは制限された形のみで、または制限されない形で、回転可能であり、
解放部材は、ハウジングおよび／またはロック機能に対して、たとえば少なくとも制限された形で、好ましくは制限された形のみで、または制限されない形で、第１の角度位置と第２の角度位置との間を回転可能であり、
ロック部材（４０）は、複数のロック機能（４６）を含み、
それぞれのロック機能は、径方向および／または軸方向に、好ましくは弾性的に、偏向することができ、解放可能ロックインターフェースを解放するが、回転方向、角度方向、または接線方向の負荷または力に反作用するように可撓性であり、または可撓に取り付けられ、
第１の角度位置で、阻止機能（６５）は、ロック機能のうちの特定の１つの角度方向面（４６１）に接触するように配置され、またはそのような角度方向面に接触しており、特定のロック機能は、第１の角度位置に偏向しないように支持機能（１５２）によって支持され、解放部材が第２の角度位置の方へ回転されたとき、支持機能は、事前に支持された特定のロック機能から支持が除去されるように、特定のロック機能に対して回転するように配置および構成され、したがって特定のロック機能は、解放可能な回転ロックインターフェースを解放するように偏向することができる、前記薬物送達デバイス。
【請求項１４】
分割されていないリザーバから液体薬物調合物のいくつかの事前設定可能な用量を分離および送達する薬物送達デバイスであって：
ハウジング（１０）と、
該ハウジングに対して２つの反対の回転方向、すなわち増分方向および減分方向に回転可能になるように配置された可動部材（６０）であって、エネルギー貯蔵部材（９０）に動作可能に連結され、エネルギー貯蔵部材内に貯蔵済みまたは貯蔵可能なエネルギーによって、減分方向に回転するように付勢され、増分方向への可動部材の回転が、エネルギー貯蔵部材内に貯蔵されるエネルギーを増大させる、可動部材と、
ロックシステムとを含み、該ロックシステムは、
ロック機能（６２、４６、１６０、１６１）、阻止機能（４２、６５、６６、６７７）、および解放部材（７０、８０）を含み、ここで、
ロック機能は、阻止機能と協働して、解放可能ロックインターフェースを形成するように配置され、解放可能ロックインターフェースは、該解放可能ロックインターフェースが確立されたとき、減分方向へ、好ましくは該減分方向のみへのハウジングに対する可動部材の回転運動が阻止されるように構成され、解放可能ロックインターフェースが解放されたとき、可動部材は、減分方向に、たとえば少なくとも制限された形で、好ましくは制限された形のみで、または制限されない形で回転可能であり、
解放部材は、ハウジングおよび／またはロック機能に対して、たとえば少なくとも制限された形で、好ましくは制限された形のみで、または制限されない形で、第１の角度位置と第２の角度位置との間を回転可能であり、
第１の角度位置で、解放可能ロックインターフェースが確立され、
第２の角度位置で、解放可能ロックインターフェースは、少なくとも一時的に、好ましくは一時的にのみ、または恒久的に解放され、薬物送達デバイスは、第１の角度位置から第２の角度位置への解放部材の回転が、解放可能ロックインターフェースの解放を引き起こすように構成され、
薬物送達デバイスは、支持機能（１５２）を含み、該支持機能は、ロック機能（４６、１６１）に対して第１の位置と第２の位置との間で回転可能であり、したがって支持機能は、第１の位置でロック機能を径方向および／または軸方向に支持するが、第２の位置で阻止機能（６５、６６）に対するロック機能の径方向および／または軸方向運動を可能にし、薬物送達デバイスは、解放部材が第１の角度位置にあるときは支持機能が第１の位置にあり、解放部材が第２の角度位置にあるときは支持機能が第２の位置にあるように構成され、
可動部材（６０）は、単位増分の倍数のみ、ハウジング（１０）に対して増分方向へ回転可能であり、薬物送達デバイスは、少なくとも１つの単方向インターフェースを含み、単方向インターフェースは、単位増分を画成し、解放部材（７０、８０）が第１の角度位置にあるとき、増分方向のみへのハウジングに対する可動部材の回転を可能にし、
単方向インターフェースは、解放可能ロックインターフェースとは異なる、前記薬物送達デバイス。
【請求項１５】
液体薬物調合物のいくつかの事前設定可能な用量を分割されていないリザーバから分離および送達する薬物送達デバイスであって：
ハウジング（１０）と、
該ハウジングに対して２つの反対の回転方向、すなわち増分方向および減分方向に回転可能になるように配置された可動部材（６０）であって、エネルギー貯蔵部材（９０）に動作可能に連結され、エネルギー貯蔵部材内に貯蔵済みまたは貯蔵可能なエネルギーによって、減分方向に回転するように付勢され、増分方向への可動部材の回転が、エネルギー貯蔵部材内に貯蔵されるエネルギーを増大させる、可動部材と、
ロックシステムとを含み、該ロックシステムは、
ロック機能（６２、４６、１６０、１６１）、阻止機能（４２、６５、６６、６７７）、および解放部材（７０、８０）を含み、ここで、
ロック機能は、阻止機能と協働して、解放可能ロックインターフェースを形成するように配置され、解放可能ロックインターフェースは、該解放可能ロックインターフェースが
確立されたとき、減分方向へ、好ましくは該減分方向のみへのハウジングに対する可動部材の回転運動が阻止されるように構成され、解放可能ロックインターフェースが解放されたとき、可動部材は減分方向に、たとえば少なくとも制限された形で、好ましくは制限された形のみで、または制限されない形で、回転可能であり、
解放部材は、ハウジングおよび／またはロック機能に対して、たとえば少なくとも制限された形で、好ましくは制限された形のみで、または制限されない形で、第１の角度位置と第２の角度位置との間を回転可能であり、
第１の角度位置で、解放可能ロックインターフェースが確立され、
第２の角度位置で、解放可能ロックインターフェースは、少なくとも一時的に、好ましくは一時的にのみ、または恒久的に解放され、薬物送達デバイスは、第１の角度位置から第２の角度位置への解放部材の回転が、解放可能ロックインターフェースの解放を引き起こすように構成され、
阻止機能は、阻止部材（６０）の一部であり、または阻止部材に堅固に連結され、
ロック機能は、解放可能ロックインターフェースを解放するために、阻止部材に対してロック位置からロック解除位置へ軸方向に変位可能であり、ロック機能は、第１の角度位置から第２の角度位置の方へ解放部材の回転運動が、ロック位置からロック解除位置へのロック機能の軸方向運動に変換されるように、解放部材に動作可能に連結される、前記薬物送達デバイス。